(57)【特許請求の範囲】
【請求項１】
端末装置と、該端末装置から受信したデータ記録命令に従ってデータを記録するデータ記録装置とを含むデータ記録システムであって、
上記データには検索用情報および当該データを再生する端末装置に要求される仕様を示す推奨端末仕様情報が付与されており、
上記端末装置は、
上記データ記録装置にて記録すべきデータを特定するための検索条件および自装置の仕様を示す端末仕様情報を含めて上記データ記録命令を生成するデータ記録命令生成手段を備え、
上記データ記録装置は、
上記端末装置から受信したデータ記録命令から上記検索条件および上記端末仕様情報を抽出するとともに、上記抽出した検索条件に合致する検索用情報が付与されており、かつ、上記推奨端末仕様情報が示す仕様を上記抽出した端末仕様情報が示す仕様が満たしているデータを、当該データ記録装置に記録すべきデータとして特定するデータ記録命令解析手段と、
上記特定されたデータを記録するデータ記録実行手段とを備えることを特徴とするデータ記録システム。
【請求項２】
上記端末装置は、
データを再生するデータ再生手段をさらに備え、
上記データ記録命令生成手段にて、上記データ再生手段が再生可能なデータ記録条件を指定するデータ記録条件指定情報を含めて上記データ記録命令を生成し、
上記データ記録装置は、
上記データ記録命令解析手段にて、上記端末装置から受信したデータ記録命令から上記データ記録条件指定情報を抽出して、データ記録条件を決定し、
上記データ記録実行手段にて、上記決定されたデータ記録条件に従ってデータを記録することを特徴とする請求項１に記載のデータ記録システム。
【請求項３】
上記端末装置は、
データを再生するデータ再生手段をさらに備え、
上記データ記録命令生成手段にて、上記データ再生手段が再生可能なデータ記録条件に対応した記録用プログラムを含めて上記データ記録命令を生成し、
上記データ記録装置は、
上記データ記録命令解析手段にて、上記端末装置から受信したデータ記録命令から上記記録用プログラムを抽出し、
上記データ記録実行手段にて、上記抽出した記録用プログラムを用いてデータを記録することを特徴とする請求項１に記載のデータ記録システム。
【請求項４】
上記端末装置は、
データを再生するデータ再生手段をさらに備え、
上記データ記録命令生成手段にて、上記データ再生手段を識別可能なデータ再生手段識別情報を含めて上記データ記録命令を生成し、
上記データ記録装置は、
上記データ記録命令解析手段にて、上記端末装置から受信したデータ記録命令から上記データ再生手段識別情報を抽出し、データ再生手段識別情報とデータ記録条件とが対応付けられたデータ記録条件データベースを参照して、上記抽出したデータ再生手段識別情報に対応するデータ記録条件を決定し、
上記データ記録実行手段にて、上記決定されたデータ記録条件に従ってデータを記録することを特徴とする請求項１に記載のデータ記録システム。
【請求項５】
上記端末装置は、
上記データ記録命令生成手段にて、当該端末装置の所有者を識別可能な所有者識別情報を含めて上記データ記録命令を生成し、
上記データ記録装置は、
上記データ記録命令解析手段にて、上記端末装置から受信したデータ記録命令から上記所有者識別情報を抽出し、所有者識別情報とデータ記録条件とが対応付けられたデータベースを参照して、上記抽出した所有者識別情報に対応するデータ記録条件を決定し、
上記データ記録実行手段にて、上記決定されたデータ記録条件に従ってデータを記録することを特徴とする請求項１に記載のデータ記録システム。
【請求項６】
上記データ記録装置は、
上記データ記録命令解析手段にて、上記端末装置からデータ記録命令を受信した通信手段に応じたデータ記録条件を決定し、
上記データ記録実行手段にて、上記決定されたデータ記録条件に従ってデータを記録することを特徴とする請求項１に記載のデータ記録システム。
【請求項７】
上記データ記録装置は、
同じデータに対して、用いるべきデータ記録条件が異なる複数のデータ記録命令を受信したとき、上記データ記録実行手段が、上記用いるべきデータ記録条件のうちの一つのデータ記録条件を用いてデータを記録するものであり、
さらに、上記一つのデータ記録条件を用いて記録したデータの複製を、上記用いるべきデータ記録条件のうちの他のデータ記録条件を用いて作成するデータ複製手段を備えることを特徴とする請求項１から６のいずれか１項に記載のデータ記録システム。
【請求項８】
上記端末仕様情報及び上記推奨端末仕様情報には、端末解像度を示す解像度情報が含まれており、
上記データ記録命令解析手段は、上記抽出した検索条件に合致する検索用情報が付与されており、かつ、上記推奨端末仕様情報に含まれている解像度情報が示す端末解像度が、上記抽出した端末仕様情報に含まれている解像度情報が示す端末解像度以下であるデータを、上記データ記録装置に記録すべきデータとして特定することを特徴とする請求項１から７のいずれか１項に記載のデータ記録システム。
【請求項９】
端末装置と、該端末装置から受信したデータ記録命令に従ってデータを記録するデータ記録装置とを含むデータ記録システムにおけるデータ記録方法であって、
上記データには検索用情報および当該データを再生する端末装置に要求される仕様を示す推奨端末仕様情報が付与されており、
上記端末装置にて、上記データ記録装置にて記録すべきデータを特定するための検索条件および自装置の仕様を示す端末仕様情報を含めて上記データ記録命令を生成するデータ記録命令生成ステップと、
上記データ記録装置にて、上記端末装置から受信したデータ記録命令から上記検索条件および上記端末仕様情報を抽出するとともに、上記抽出した検索条件に合致する検索用情報が付与されており、かつ、上記推奨端末仕様情報が示す仕様を上記抽出した端末仕様情報が示す仕様が満たしているデータを、当該データ記録装置に記録すべきデータとして特定するデータ記録命令解析ステップと、
上記データ記録装置にて、上記特定されたデータを記録するデータ記録実行ステップとを含むことを特徴とするデータ記録方法。
【請求項１０】
上記端末装置がデータを再生するデータ再生手段を備えており、
上記端末装置にて、上記データ記録命令生成ステップにおいて、上記データ再生手段が再生可能なデータ記録条件を指定するデータ記録条件指定情報を含めて上記データ記録命令を生成し、
上記データ記録装置にて、上記データ記録命令解析ステップにおいて、上記端末装置から受信したデータ記録命令から上記データ記録条件指定情報を抽出して、データ記録条件を決定し、
上記データ記録装置にて、上記データ記録実行ステップにおいて、上記決定されたデータ記録条件に従ってデータを記録することを特徴とする請求項９に記載のデータ記録方法。
【請求項１１】
上記端末装置がデータを再生するデータ再生手段を備えており、
上記端末装置にて、上記データ記録命令生成ステップにおいて、上記データ再生手段が再生可能なデータ記録条件に対応した記録用プログラムを含めて上記データ記録命令を生成し、
上記データ記録装置にて、上記データ記録命令解析ステップにおいて、上記端末装置から受信したデータ記録命令から上記記録用プログラムを抽出し、
上記データ記録装置にて、上記データ記録実行ステップにおいて、上記抽出した記録用プログラムを用いてデータを記録することを特徴とする請求項９に記載のデータ記録方法。
【請求項１２】
上記端末装置がデータを再生するデータ再生手段を備えており、
上記端末装置にて、上記データ記録命令生成ステップにおいて、上記データ再生手段を識別可能なデータ再生手段識別情報を含めて上記データ記録命令を生成し、
上記データ記録装置にて、上記データ記録命令解析ステップにおいて、上記端末装置から受信したデータ記録命令から上記データ再生手段識別情報を抽出し、データ再生手段識別情報とデータ記録条件とが対応付けられたデータ記録条件データベースを参照して、上記抽出したデータ再生手段識別情報に対応するデータ記録条件を決定し、
上記データ記録装置にて、上記データ記録実行ステップにおいて、上記決定されたデータ記録条件に従ってデータを記録することを特徴とする請求項９に記載のデータ記録方法。
【請求項１３】
上記端末装置にて、上記データ記録命令生成ステップにおいて、当該端末装置の所有者を識別可能な所有者識別情報を含めて上記データ記録命令を生成し、
上記データ記録装置にて、上記データ記録命令解析ステップにおいて、上記端末装置から受信したデータ記録命令から上記所有者識別情報を抽出し、所有者識別情報とデータ記録条件とが対応付けられたデータベースを参照して、上記抽出した所有者識別情報に対応するデータ記録条件を決定し、
上記データ記録装置にて、上記データ記録実行ステップにおいて、上記決定されたデータ記録条件に従ってデータを記録することを特徴とする請求項９に記載のデータ記録方法。
【請求項１４】
上記データ記録装置にて、上記データ記録命令解析ステップにおいて、上記端末装置からデータ記録命令を受信した通信手段に応じたデータ記録条件を決定し、
上記データ記録装置にて、上記データ記録実行ステップにおいて、上記決定されたデータ記録条件に従ってデータを記録することを特徴とする請求項９に記載のデータ記録方法。
【請求項１５】
上記データ記録装置にて、同じデータに対して、用いるべきデータ記録条件が異なる複数のデータ記録命令を受信したとき、上記データ記録実行ステップにおいて、上記用いるべきデータ記録条件のうちでの一つのデータ記録条件を用いてデータを記録するとともに、
上記データ記録装置にて、上記一つのデータ記録条件を用いて記録したデータの複製を、上記用いるべきデータ記録条件のうちの他のデータ記録条件を用いて作成するデータ複製ステップをさらに含むことを特徴とする請求項９から１４のいずれか１項に記載のデータ記録方法。
【請求項１６】
上記端末仕様情報及び上記推奨端末仕様情報には、端末解像度を示す解像度情報が含まれており、
上記データ記録装置にて、上記データ記録命令解析ステップにおいて、上記抽出した検索条件に合致する検索用情報が付与されており、かつ、上記推奨端末仕様情報に含まれている解像度情報が示す端末解像度が、上記抽出した端末仕様情報に含まれている解像度情報が示す端末解像度以下であるデータを、自身に記録すべきデータとして特定することを特徴とする請求項９から１５のいずれか１項に記載のデータ記録方法。
【請求項１７】
データ記録命令に従ってデータを記録するデータ記録装置に対してデータ記録命令を送信する端末装置であって、
上記データ記録装置が記録するデータには検索用情報および当該データを再生する端末装置に要求される仕様を示す推奨端末仕様情報が付与されており、
記録すべきデータを特定する際に上記データ記録装置が行う上記検索用情報に対する検索で用いる検索条件および自装置の仕様を示す端末仕様情報を含めて上記データ記録命令を生成するデータ記録命令生成手段を備えることを特徴とする端末装置。
【請求項１８】
データを再生するデータ再生手段をさらに備え、
上記データ記録命令生成手段にて、上記データ再生手段が再生可能なデータ記録条件を指定するデータ記録条件指定情報を含めて上記データ記録命令を生成することを特徴とする請求項１７に記載の端末装置。
【請求項１９】
データを再生するデータ再生手段をさらに備え、
上記データ記録命令生成手段にて、上記データ再生手段が再生可能なデータ記録条件に対応した記録用プログラムを含めて上記データ記録命令を生成することを特徴とする請求項１７に記載の端末装置。
【請求項２０】
データを再生するデータ再生手段をさらに備え、
上記データ記録命令生成手段にて、上記データ再生手段を識別可能なデータ再生手段識別情報を含めて上記データ記録命令を生成することを特徴とする請求項１７に記載の端末装置。
【請求項２１】
上記データ記録命令生成手段にて、当該端末装置の所有者を識別可能な所有者識別情報を含めて上記データ記録命令を生成することを特徴とする請求項１７に記載の端末装置。
【請求項２２】
上記推奨端末仕様情報には、端末解像度を示す解像度情報が含まれており、
上記端末装置は、
上記データ記録命令生成手段にて、当該端末装置の端末解像度を示す解像度情報を上記端末仕様情報に含めて上記データ記録命令を生成することを特徴とする請求項１７から２１のいずれか１項に記載の端末装置。
【請求項２３】
端末装置から受信したデータ記録命令に従ってデータを記録するデータ記録装置であって、
上記データには検索用情報および当該データを再生する端末装置に要求される仕様を示す推奨端末仕様情報が付与されており、
上記端末装置から受信したデータ記録命令であって当該データ記録装置が記録すべきデータを特定するための検索条件および当該端末装置の仕様を示す端末仕様情報を含んだデータ記録命令から上記検索条件および上記端末仕様情報を抽出するとともに、上記抽出した検索条件に合致する検索用情報が付与されており、かつ、上記推奨端末仕様情報が示す仕様を上記抽出した端末仕様情報が示す仕様が満たしているデータを、当該データ記録装置に記録すべきデータとして特定するデータ記録命令解析手段と、
上記特定されたデータを記録するデータ記録実行手段とを備えることを特徴とするデータ記録装置。
【請求項２４】
上記データ記録命令解析手段が、上記端末装置から受信したデータ記録命令から、上記端末装置が再生可能なデータ記録条件を指定するデータ記録条件指定情報を抽出して、データ記録条件を決定し、
上記データ記録実行手段が、上記決定されたデータ記録条件に従ってデータを記録することを特徴とする請求項２３に記載のデータ記録装置。
【請求項２５】
上記データ記録命令解析手段が、上記端末装置から受信したデータ記録命令から、上記端末装置が再生可能なデータ記録条件に対応した記録用プログラムを抽出するものであり、
上記データ記録実行手段が、上記抽出した記録用プログラムを用いてデータを記録するものであることを特徴とする請求項２３に記載のデータ記録装置。
【請求項２６】
上記データ記録命令解析手段が、上記端末装置から受信したデータ記録命令から、上記端末装置が搭載するデータ再生手段を識別可能なデータ再生手段識別情報を抽出し、データ再生手段識別情報とデータ記録条件とが対応付けられたデータ記録条件データベースを参照して、上記抽出したデータ再生手段識別情報に対応するデータ記録条件を決定し、
上記データ記録実行手段が、上記決定されたデータ記録条件に従ってデータを記録することを特徴とする請求項２３に記載のデータ記録装置。
【請求項２７】
上記データ記録命令解析手段が、上記端末装置から受信したデータ記録命令から、当該端末装置の所有者を識別可能な所有者識別情報を抽出し、所有者識別情報とデータ記録条件とが対応付けられたデータベースを参照して、上記抽出した所有者識別情報に対応するデータ記録条件を決定し、
上記データ記録実行手段が、上記決定されたデータ記録条件に従ってデータを記録することを特徴とする請求項２３に記載のデータ記録装置。
【請求項２８】
上記データ記録命令解析手段が、上記端末装置からデータ記録命令を受信した通信手段に応じたデータ記録条件を決定し、
上記データ記録実行手段が、上記決定されたデータ記録条件に従ってデータを記録することを特徴とする請求項２３に記載のデータ記録装置。
【請求項２９】
同じデータに対して、用いるべきデータ記録条件が異なる複数のデータ記録命令を受信したとき、上記データ記録実行手段が、上記用いるべきデータ記録条件のうちの一つのデータ記録条件を用いてデータを記録するものであり、
上記一つのデータ記録条件を用いて記録したデータの複製を、上記用いるべきデータ記録条件のうちの他のデータ記録条件を用いて作成するデータ複製手段をさらに備えることを特徴とする請求項２３から２８のいずれか１項に記載のデータ記録装置。
【請求項３０】
上記端末仕様情報及び上記推奨端末仕様情報には、端末解像度を示す解像度情報が含まれており、
上記データ記録命令解析手段は、上記抽出した検索条件に合致する検索用情報が付与されており、かつ、上記推奨端末仕様情報に含まれている解像度情報が示す端末解像度が、上記抽出した端末仕様情報に含まれている解像度情報が示す端末解像度以下であるデータを、当該データ記録装置に記録すべきデータとして特定することを特徴とする請求項２３から２９のいずれか１項に記載のデータ記録装置。
【請求項３１】
請求項１７から２２のいずれか１項に記載の端末装置を動作させる制御プログラムであって、コンピュータを上記の各手段として機能させるための制御プログラム。
【請求項３２】
請求項２３から３０のいずれか１項に記載のデータ記録装置を動作させる制御プログラムであって、コンピュータを上記の各手段として機能させるための制御プログラム。
【請求項３３】
請求項３１または３２に記載の制御プログラムを記録したコンピュータ読み取り可能な記録媒体。
【発明の詳細な説明】
【技術分野】
【０００１】
本発明は、外部機器から受信したデータ記録命令に従ってデータを記録するデータ記録装置およびそれを備えたデータ記録システムに関するものである。
【背景技術】
【０００２】
近時、放送信号を受信するチューナと番組を蓄積するハードディスクとを備えたハードディスクレコーダが用いられている。そして、それらハードディスクレコーダの中には、外部機器から受信したデータ記録命令に従ってデータを記録しておき、外部機器からの要求に応じてデータを当該外部機器へ送信するものもある。
【０００３】
ここで、通常外部機器ごとに再生可能な記録形式が決まっており、対応する記録形式にてデータの記録を行う必要がある。例えば、ｍｐｅｇ（Moving Pictures Experts Group）４対応の携帯端末装置で動画を再生するためにはｍｐｅｇ４にて録画するか、他の形式にて録画したデータを再度ｍｐｅｇ４形式データ変換する必要がある。
【０００４】
なお、本願発明に関連する先行技術文献としては、次の特許文献１がある。特許文献１には、内蔵している記録再生部、再生処理部、表示部を外部機器が利用できない点を解決し、従来の再生機能を損なうことなく簡単に外部機器が記録再生部、再生処理部、表示部を利用できることを目的とする再生装置が記載されている。具体的には、再生装置に信号切替器と外部入出力Ｉ／Ｆを設け、制御マイコンで信号切替器を記録再生部と外部入出力Ｉ／Ｆを接続するように切り替えることにより、外部機器からも記録再生部が利用できる。また、外部入出力Ｉ／Ｆと信号切替器を設け、制御マイコンで信号切替器を外部入出力Ｉ／Ｆと表示部を接続するように切り替えることにより、外部機器からの映像入力信号を外部入出力Ｉ／Ｆで表示部に表示できる信号形式に変換し、表示部で外部機器7の映像信号を表示することができる。
【特許文献１】特開平９−４５０５９号公報（公開日：平成９年（１９７７）２月１４日）
【発明の開示】
【発明が解決しようとする課題】
【０００５】
従来、ハードディスクレコーダ等のデータ記録装置にデータを記録させ、そのデータを外部機器で再生する場合、データ記録を行う時に外部機器に応じたデータ記録形式をユーザが指定する必要があった。それゆえ、データ記録時に、外部機器が再生可能なデータ形式をユーザが調べて詳細に指定しなければならず、ユーザには大きな負担となっていた。
【０００６】
本発明は、上記の問題点に鑑みてなされたものであり、その目的は、外部機器から受信したデータ記録命令に従ってデータを記録するデータ記録装置において、外部機器に適したデータ記録形式を簡便に設定することができるデータ記録システム、端末装置、データ記録装置、データ記録方法、制御プログラムおよびそれを記録したコンピュータ読み取り可能な記録媒体を実現することにある。
【課題を解決するための手段】
【０００７】
上記課題を解決するために、本発明に係るデータ記録システムは、端末装置と、該端末装置から受信したデータ記録命令に従ってデータを記録するデータ記録装置とを含むデータ記録システムであって、上記データ記録装置は、上記端末装置から受信したデータ記録命令を解析して、当該端末装置に応じたデータ記録条件を決定するデータ記録命令解析手段と、上記決定されたデータ記録条件に従ってデータを記録するデータ記録実行手段とを備えることを特徴としている。
【０００８】
また、本発明に係るデータ記録方法は、端末装置と、該端末装置から受信したデータ記録命令に従ってデータを記録するデータ記録装置とを含むデータ記録システムにおけるデータ記録方法であって、上記データ記録装置にて、上記端末装置から受信したデータ記録命令を解析して、当該端末装置に応じたデータ記録条件を決定するデータ記録命令解析ステップと、上記データ記録装置にて、上記決定されたデータ記録条件に従ってデータを記録するデータ記録実行ステップとを含むことを特徴としている。
【０００９】
また、本発明に係るデータ記録装置は、端末装置から受信したデータ記録命令に従ってデータを記録するデータ記録装置であって、上記端末装置から受信したデータ記録命令を解析して、当該端末装置に応じたデータ記録条件を決定するデータ記録命令解析手段と、上記決定されたデータ記録条件に従ってデータを記録するデータ記録実行手段とを備えることを特徴としている。
【００１０】
上記の構成によれば、データ記録装置にて、端末装置から受信したデータ記録命令を解析して、当該端末装置に応じたデータ記録条件を決定できる。よって、外部の端末装置から受信したデータ記録命令に従ってデータを記録するデータ記録装置において、端末装置に適したデータ記録条件を簡便に設定することが可能となる。
【００１１】
なお、本発明において、「データ記録条件」には、ｍｐｅｇ４等のデータ記録形式だけでなく、ビットレートなども含まれる。そして、上記決定するデータ記録条件としては、データ記録形式、ビットレートなどの複数種の条件を含んでいてもよいし、それら複数種の条件のうちのいずれか１つであってもよい。
【００１２】
さらに、本発明に係るデータ記録システムは、上記端末装置は、データを再生するデータ再生手段と、上記データ再生手段が再生可能なデータ記録条件を指定するデータ記録条件指定情報を含めて上記データ記録命令を生成するデータ記録命令生成手段とを備え、上記データ記録装置は、上記データ記録命令解析手段にて、上記端末装置から受信したデータ記録命令から上記データ記録条件指定情報を抽出して、データ記録条件を決定することを特徴としている。
【００１３】
また、本発明に係るデータ記録方法は、上記端末装置がデータを再生するデータ再生手段を備えており、上記端末装置にて、上記データ再生手段が再生可能なデータ記録条件を指定するデータ記録条件指定情報を含めて上記データ記録命令を生成するデータ記録命令生成ステップと、上記データ記録装置にて、上記データ記録命令解析ステップにおいて、上記端末装置から受信したデータ記録命令から上記データ記録条件指定情報を抽出して、データ記録条件を決定することを特徴としている。
【００１４】
また、本発明に係る端末装置は、データ記録命令に従ってデータを記録するデータ記録装置に対してデータ記録命令を送信する端末装置であって、データを再生するデータ再生手段と、上記データ再生手段が再生可能なデータ記録条件を指定するデータ記録条件指定情報を含めて上記データ記録命令を生成するデータ記録命令生成手段とを備えることを特徴としている。
【００１５】
また、本発明に係るデータ記録装置は、上記データ記録命令解析手段が、上記端末装置から受信したデータ記録命令から、上記端末装置が再生可能なデータ記録条件を指定するデータ記録条件指定情報を抽出して、データ記録条件を決定するものであることを特徴としている。
【００１６】
上記の構成によれば、さらに、端末装置が再生可能なデータ記録条件を指定するデータ記録条件指定情報を含むデータ記録命令を端末装置からデータ記録装置へ送信し、データ記録装置にて、データ記録命令からデータ記録条件指定情報を抽出して、データ記録条件を決定する。よって、外部の端末装置から受信したデータ記録命令に従ってデータを記録するデータ記録装置において、端末装置に適したデータ記録条件を簡便に設定することが可能となる。
【００１７】
さらに、本発明に係るデータ記録システムは、上記端末装置は、データを再生するデータ再生手段と、上記データ再生手段が再生可能なデータ記録条件に対応した記録用プログラムを含めて上記データ記録命令を生成するデータ記録命令生成手段とを備え、上記データ記録装置は、上記データ記録命令解析手段にて、上記端末装置から受信したデータ記録命令から上記記録用プログラムを抽出し、上記データ記録実行手段にて、上記抽出した記録用プログラムを用いてデータを記録することを特徴としている。
【００１８】
また、本発明に係るデータ記録方法は、上記端末装置がデータを再生するデータ再生手段を備えており、上記端末装置にて、上記データ再生手段が再生可能なデータ記録条件に対応した記録用プログラムを含めて上記データ記録命令を生成するデータ記録命令生成ステップと、上記データ記録装置にて、上記データ記録命令解析ステップにおいて、上記端末装置から受信したデータ記録命令から上記記録用プログラムを抽出し、上記データ記録装置にて、上記データ記録実行ステップにおいて、上記抽出した記録用プログラムを用いてデータを記録することを特徴としている。
【００１９】
また、本発明に係る端末装置は、データ記録命令に従ってデータを記録するデータ記録装置に対してデータ記録命令を送信する端末装置であって、データを再生するデータ再生手段と、上記データ再生手段が再生可能なデータ記録条件に対応した記録用プログラムを含めて上記データ記録命令を生成するデータ記録命令生成手段とを備えることを特徴としている。
【００２０】
また、本発明に係るデータ記録装置は、上記データ記録命令解析手段が、上記端末装置から受信したデータ記録命令から、上記端末装置が再生可能なデータ記録条件に対応した記録用プログラムを抽出するものであり、上記データ記録実行手段が、上記抽出した記録用プログラムを用いてデータを記録するものであることを特徴としている。
【００２１】
上記の構成によれば、さらに、端末装置が再生可能なデータ記録条件に対応した記録用プログラム（エンコード用のコーデック）を含むデータ記録命令を端末装置からデータ記録装置へ送信し、データ記録装置にて、データ記録命令から記録用プログラムを抽出し、この記録用プログラムを用いてデータを記録する。よって、外部の端末装置から受信したデータ記録命令に従ってデータを記録するデータ記録装置において、端末装置に適したデータ記録条件によるデータ記録を簡便に実行することが可能となる。また、使うことが予想されるデータ記録条件に対応した記録用プログラムをあらかじめデータ記録装置に用意しておく必要がない。
【００２２】
さらに、本発明に係るデータ記録システムは、上記端末装置は、データを再生するデータ再生手段と、上記データ再生手段を識別可能なデータ再生手段識別情報を含めて上記データ記録命令を生成するデータ記録命令生成手段とを備え、上記データ記録装置は、上記データ記録命令解析手段にて、上記端末装置から受信したデータ記録命令から上記データ再生手段識別情報を抽出し、データ再生手段識別情報とデータ記録条件とが対応付けられたデータ記録条件データベースを参照して、上記抽出したデータ再生手段識別情報に対応するデータ記録条件を決定することを特徴としている。
【００２３】
また、本発明に係るデータ記録方法は、上記端末装置がデータを再生するデータ再生手段を備えており、上記端末装置にて、上記データ再生手段を識別可能なデータ再生手段識別情報を含めて上記データ記録命令を生成するデータ記録命令生成ステップと、上記データ記録装置にて、上記データ記録命令解析ステップにおいて、上記端末装置から受信したデータ記録命令から上記データ再生手段識別情報を抽出し、データ再生手段識別情報とデータ記録条件とが対応付けられたデータ記録条件データベースを参照して、上記抽出したデータ再生手段識別情報に対応するデータ記録条件を決定することを特徴としている。
【００２４】
また、本発明に係る端末装置は、データ記録命令に従ってデータを記録するデータ記録装置に対してデータ記録命令を送信する端末装置であって、データを再生するデータ再生手段と、上記データ再生手段を識別可能なデータ再生手段識別情報を含めて上記データ記録命令を生成するデータ記録命令生成手段とを備えることを特徴としている。
【００２５】
また、本発明に係るデータ記録装置は、上記データ記録命令解析手段が、上記端末装置から受信したデータ記録命令から、上記端末装置が搭載するデータ再生手段を識別可能なデータ再生手段識別情報を抽出し、データ再生手段識別情報とデータ記録条件とが対応付けられたデータ記録条件データベースを参照して、上記抽出したデータ再生手段識別情報に対応するデータ記録条件を決定するものであることを特徴としている。
【００２６】
上記の構成によれば、さらに、端末装置がデータ再生のために搭載するデータ再生手段を識別可能なデータ再生手段識別情報を含むデータ記録命令を端末装置からデータ記録装置へ送信し、データ記録装置にて、データ記録命令からデータ再生手段識別情報を抽出し、データ再生手段識別情報とデータ記録条件とが対応付けられたデータ記録条件データベースを参照して、上記抽出したデータ再生手段識別情報に対応するデータ記録条件を決定する。よって、外部の端末装置から受信したデータ記録命令に従ってデータを記録するデータ記録装置において、端末装置からデータ記録条件を指定しなくても、端末装置に適したデータ記録条件を選択して、データ記録を簡便に実行することが可能となる。
【００２７】
さらに、本発明に係るデータ記録システムは、上記端末装置は、当該端末装置の所有者を識別可能な所有者識別情報を含めて上記データ記録命令を生成するデータ記録命令生成手段を備え、上記データ記録装置は、上記データ記録命令解析手段にて、上記端末装置から受信したデータ記録命令から上記所有者識別情報を抽出し、所有者識別情報とデータ記録条件とが対応付けられたデータベースを参照して、上記抽出した所有者識別情報に対応するデータ記録条件を決定することを特徴としている。
【００２８】
また、本発明に係るデータ記録方法は、上記端末装置にて、当該端末装置の所有者を識別可能な所有者識別情報を含めて上記データ記録命令を生成するデータ記録命令生成ステップと、上記データ記録装置にて、上記データ記録命令解析ステップにおいて、上記端末装置から受信したデータ記録命令から上記所有者識別情報を抽出し、所有者識別情報とデータ記録条件とが対応付けられたデータベースを参照して、上記抽出した所有者識別情報に対応するデータ記録条件を決定することを特徴としている。
【００２９】
また、本発明に係る端末装置は、データ記録命令に従ってデータを記録するデータ記録装置に対してデータ記録命令を送信する端末装置であって、当該端末装置の所有者を識別可能な所有者識別情報を含めて上記データ記録命令を生成するデータ記録命令生成手段を備えることを特徴としている。
【００３０】
また、本発明に係るデータ記録装置は、上記データ記録命令解析手段が、上記端末装置から受信したデータ記録命令から、当該端末装置の所有者を識別可能な所有者識別情報を抽出し、所有者識別情報とデータ記録条件とが対応付けられたデータベースを参照して、上記抽出した所有者識別情報に対応するデータ記録条件を決定することを特徴としている。
【００３１】
上記の構成によれば、さらに、端末装置の所有者を識別可能な所有者識別情報を含むデータ記録命令を端末装置からデータ記録装置へ送信し、データ記録装置にて、データ記録命令から所有者識別情報を抽出し、所有者識別情報とデータ記録条件とが対応付けられたデータベースを参照して、上記抽出した所有者識別情報に対応するデータ記録条件を決定する。よって、外部の端末装置から受信したデータ記録命令に従ってデータを記録するデータ記録装置において、端末装置からデータ記録条件を指定しなくても、端末装置に適したデータ記録条件を選択して、データ記録を簡便に実行することが可能となる。
【００３２】
さらに、本発明に係るデータ記録システムは、上記データ記録装置は、同じデータに対して、用いるべきデータ記録条件が異なる複数のデータ記録命令を受信したとき、上記データ記録実行手段が、上記用いるべきデータ記録条件のうちの一つのデータ記録条件を用いてデータを記録するものであり、さらに、上記一つのデータ記録条件を用いて記録したデータの複製を、上記用いるべきデータ記録条件のうちの他のデータ記録条件を用いて作成するデータ複製手段を備えることを特徴としている。
【００３３】
また、本発明に係るデータ記録方法は、上記データ記録装置にて、同じデータに対して、用いるべきデータ記録条件が異なる複数のデータ記録命令を受信したとき、上記データ記録実行ステップにおいて、上記用いるべきデータ記録条件のうちの一つのデータ記録条件を用いてデータを記録するとともに、上記データ記録装置にて、上記一つの高いデータ記録条件を用いて記録したデータの複製を、上記用いるべきデータ記録条件のうちの他のデータ記録条件を用いて作成するデータ複製ステップをさらに含むことを特徴としている。
【００３４】
また、本発明に係るデータ記録装置は、同じデータに対して、用いるべきデータ記録条件が異なる複数のデータ記録命令を受信したとき、上記データ記録実行手段が、上記用いるべきデータ記録条件のうちの一つのデータ記録条件を用いてデータを記録するものであり、上記一つのデータ記録条件を用いて記録したデータの複製を、上記用いるべきデータ記録条件のうちの他のデータ記録条件を用いて作成するデータ複製手段をさらに備えることを特徴としている。
【００３５】
上記の構成によれば、さらに、データ記録装置は、同じデータに対して、用いるべきデータ記録条件が異なる複数のデータ記録命令を受信したとき、上記用いるべきデータ記録条件のうちの一つのデータ記録条件を用いてデータを記録するとともに、該記録したデータの複製を、上記用いるべきデータ記録条件のうちの他のデータ記録条件を用いて作成する。よって、外部の端末装置から受信したデータ記録命令に従ってデータを記録するデータ記録装置において、同じデータに対して、用いるべきデータ記録条件が異なる複数のデータ記録命令を受信した場合にも、１つのデータ記録実行手段によって対応できる。なお、最初に記録するデータ記録条件としては、「最も品質の高いデータ記録条件」や「最も録画時間が短いデータ記録条件」などを選択できるが、複製したデータの品質に配慮すれば、最初は「最も品質の高いデータ記録条件」で記録することが望ましい。
【００３６】
さらに、本発明に係るデータ記録システムは、上記データ記録装置が記録するデータには検索用情報および当該データを再生する端末装置に要求される仕様を示す推奨端末仕様情報が付与されており、上記端末装置は、上記データ記録命令生成手段にて、上記データ記録装置にて記録すべきデータを決定するための検索条件および自装置の仕様を示す端末仕様情報を含めて上記データ記録命令を生成し、上記データ記録装置は、上記データ記録命令解析手段にて、上記端末装置から受信したデータ記録命令から上記検索条件および上記端末仕様情報を抽出するとともに、上記抽出した検索条件に合致する検索用情報が付与されており、かつ、上記抽出した端末仕様情報が示す仕様が推奨端末仕様情報が示す仕様を満たしているデータを決定する記録データ決定手段を備えることを特徴としている。
【００３７】
また、本発明に係るデータ記録方法は、上記データ記録装置が記録するデータには検索用情報および当該データを再生する端末装置に要求される仕様を示す推奨端末仕様情報が付与されており、上記端末装置にて、上記データ記録命令生成ステップにおいて、上記データ記録装置にて記録すべきデータを決定するための検索条件および自装置の仕様を示す端末仕様情報を含めて上記データ記録命令を生成し、上記データ記録装置にて、上記データ記録命令解析ステップにおいて、上記端末装置から受信したデータ記録命令から上記検索条件および上記端末仕様情報を抽出するとともに、上記データ記録装置にて、上記抽出した検索条件に合致する検索用情報が付与されており、かつ、上記抽出した端末仕様情報が示す仕様が推奨端末仕様情報が示す仕様を満たしているデータを決定する記録データ決定ステップをさらに含むことを特徴としている。
【００３８】
また、本発明に係る端末装置は、上記データ記録装置が記録するデータには検索用情報および当該データを再生する端末装置に要求される仕様を示す推奨端末仕様情報が付与されており、上記データ記録命令生成手段が、上記データ記録装置が記録すべきデータを決定する際に行う上記検索用情報に対する検索で用いる検索条件および自装置の仕様を示す端末仕様情報を含めて上記データ記録命令を生成するものであることを特徴としている。
【００３９】
また、本発明に係るデータ記録装置は、記録するデータには検索用情報および当該データを再生する端末装置に要求される仕様を示す推奨端末仕様情報が付与されており、上記データ記録命令解析手段が、上記端末装置から受信したデータ記録命令から、記録すべきデータを決定するための検索条件および当該端末装置の仕様を示す端末仕様情報を抽出するものであり、上記抽出した検索条件に合致する検索用情報が付与されており、かつ、上記抽出した端末仕様情報が示す仕様が推奨端末仕様情報が示す仕様を満たしているデータを決定する記録データ決定手段をさらに備えることを特徴としている。
【００４０】
上記の構成によれば、さらに、端末装置から検索条件および自装置の端末仕様情報を含むデータ記録命令をデータ記録装置へ送信し、データ記録装置にて、データ記録命令から検索条件および端末装置の端末仕様情報を抽出し、この抽出した検索条件に合致する検索用情報が付与されており、かつ、上記抽出した端末仕様情報が示す仕様が推奨端末仕様情報が示す仕様を満たしているデータを記録すべきデータとして決定する。よって、外部の端末装置から受信したデータ記録命令に従ってデータを記録するデータ記録装置において、端末装置から記録すべきデータを具体的に指定しなくても、検索条件および端末装置の仕様を満足するデータを選択して、簡便に記録することが可能となる。
【００４１】
なお、検索条件は、データに付与されている検索用情報に含まれるものであれば任意に設定できる。具体的には、データの内容やタイトルを示すキーワード、データを再生する際に推奨する解像度やビットレートなどの１つあるいは組み合わせを検索条件とすることが可能である。また、端末の仕様とは、録画データの解像度、録画データの映像ビットレート、録画データの音声ビットレート、録画データのデータ記録形式などである。また、データ記録装置において記録すべきデータを、検索条件および端末装置の仕様のいずれか一方のみから決定するように、データ記録装置を構成することも可能である。
【００４２】
また、本発明に係るデータ記録システムは、端末装置と、該端末装置から受信したデータ記録命令に従ってデータを記録するデータ記録装置とを含むデータ記録システムであって、上記データ記録装置は、上記端末装置からデータ記録命令を受信した通信手段に応じたデータ記録条件を決定するデータ記録命令解析手段と、上記決定されたデータ記録条件に従ってデータを記録するデータ記録実行手段とを備えることを特徴としている。
【００４３】
また、本発明に係るデータ記録方法は、端末装置と、該端末装置から受信したデータ記録命令に従ってデータを記録するデータ記録装置とを含むデータ記録システムにおけるデータ記録方法であって、上記データ記録装置にて、上記端末装置からデータ記録命令を受信した通信手段に応じたデータ記録条件を決定するデータ記録命令解析ステップと、上記データ記録装置にて、上記決定されたデータ記録条件に従ってデータを記録するデータ記録実行ステップとを含むことを特徴としている。
【００４４】
また、本発明に係るデータ記録装置は、端末装置から受信したデータ記録命令に従ってデータを記録するデータ記録装置であって、上記端末装置からデータ記録命令を受信した通信手段に応じたデータ記録条件を決定するデータ記録命令解析手段と、上記決定されたデータ記録条件に従ってデータを記録するデータ記録実行手段とを備えることを特徴としている。
【００４５】
上記の構成によれば、データ記録装置にて、端末装置からデータ記録命令を受信した通信手段に応じたデータ記録条件を決定できる。例えば、データ記録装置は、赤外線通信を介してデータ記録命令を受信した場合は、端末装置が携帯電話であると判断して、携帯電話に対応したデータ記録条件を選択し、また、インターネットを介してデータ記録命令を受信した場合は、端末装置がＰＣであると判断し、ＰＣに対応したデータ記録条件を選択する。よって、外部の端末装置から受信したデータ記録命令に従ってデータを記録するデータ記録装置において、端末装置に適したデータ記録条件を簡便に設定することが可能となる。
【００４６】
なお、本発明において、「データ記録条件」には、ｍｐｅｇ４等のデータ記録形式だけでなく、ビットレートなども含まれる。そして、上記決定するデータ記録条件としては、データ記録形式、ビットレートなどの複数種の条件を含んでいてもよいし、それら複数種の条件のうちのいずれか１つであってもよい。
【００４７】
なお、上記端末装置および上記データ記録装置は、コンピュータによって実現してもよく、この場合には、コンピュータを上記各手段として動作させることにより上記端末装置および上記データ記録装置をコンピュータにて実現させる端末装置およびデータ記録装置制御プログラム、およびそれを記録したコンピュータ読み取り可能な記録媒体も、本発明の範疇に入る。
【発明の効果】
【００４８】
以上のように、本発明に係るデータ記録システムは、データ記録装置は、端末装置から受信したデータ記録命令を解析して、当該端末装置に応じたデータ記録条件を決定するデータ記録命令解析手段と、上記決定されたデータ記録条件に従ってデータを記録するデータ記録実行手段とを備える構成である。
【００４９】
また、本発明に係るデータ記録方法は、データ記録装置にて、端末装置から受信したデータ記録命令を解析して、当該端末装置に応じたデータ記録条件を決定するデータ記録命令解析ステップと、上記データ記録装置にて、上記決定されたデータ記録条件に従ってデータを記録するデータ記録実行ステップとを含む方法である。
【００５０】
それゆえ、外部の端末装置から受信したデータ記録命令に従ってデータを記録するデータ記録装置において、端末装置に適したデータ記録条件を簡便に設定することが可能となるという効果を奏する。
【００５１】
また、本発明に係るデータ記録システムは、データ記録装置は、端末装置からデータ記録命令を受信した通信手段に応じたデータ記録条件を決定するデータ記録命令解析手段と、上記決定されたデータ記録条件に従ってデータを記録するデータ記録実行手段とを備える構成である。
【００５２】
また、本発明に係るデータ記録方法は、データ記録装置にて、端末装置からデータ記録命令を受信した通信手段に応じたデータ記録条件を決定するデータ記録命令解析ステップと、上記データ記録装置にて、上記決定されたデータ記録条件に従ってデータを記録するデータ記録実行ステップとを含む方法である。
【００５３】
それゆえ、外部の端末装置から受信したデータ記録命令に従ってデータを記録するデータ記録装置において、端末装置に適したデータ記録条件を簡便に設定することが可能となるという効果を奏する。
【発明を実施するための最良の形態】
【００５４】
〔実施の形態１〕
本発明の一実施の形態について図１から図８に基づいて説明すれば、以下のとおりである。
【００５５】
図１は、本実施の形態に係るデータ記録システム１の構成を示す機能ブロック図である。
【００５６】
図１に示すように、データ記録システム１は、携帯端末装置（端末装置）１０と、該携帯端末装置１０から受信したデータ記録命令に従ってデータを記録するデータ記録装置２０とから構成されている。
【００５７】
なお、以下（実施の形態１〜４）では、データ記録装置２０としてテレビ放送を録画するハードディスクレコーダ、携帯端末装置１０として映像再生機能付き携帯電話を想定して説明するが、本発明はこれに限定されるものではない。例えば、記録するデータとしては、テレビ放送の映像音声データのほか、監視カメラなどの映像データ、ラジオ放送やＣＤ（compact disc）等の音声データも考えられる。また、携帯端末装置１０とデータ記録装置２０との間の通信としては、携帯電話網のほか、赤外線、Ｂｌｕｅｔｏｏｔｈ、インターネット網等も考えられる。
【００５８】
本実施の形態では、携帯端末装置１０が再生可能なデータ記録形式を指定したデータ記録形式指定情報をデータ記録命令に含めて携帯端末装置１０からデータ記録装置２０へ送信し、データ記録装置２０において、データ記録命令からデータ記録形式指定情報を抽出して、データ記録形式を決定する場合について説明する。ここで、データ記録装置２０は複数のデータ記録形式に対応しているものとする。
【００５９】
なお、本実施の形態を含む各実施の形態では、データ記録条件としてデータ記録形式を決定する場合について説明するが、データ記録形式のほか、ビットレートなどを含むデータ記録条件を決定する場合についても同様である。すなわち、本発明は、データ記録形式の決定に限定されない。
【００６０】
図２は、データ記録システム１に含まれる携帯端末装置１０のハードウェア構成の一例を示すブロック図である。また、図３は、データ記録システム１に含まれるデータ記録装置２０のハードウェア構成の一例を示すブロック図である。なお、後述する各実施の形態のデータ記録システム２、３、４（図９、図１８、図２２）に含まれる携帯端末装置１０・３０・７０およびデータ記録装置４０・６０・８０のハードウェア構成も図２、図３と同様である。
【００６１】
携帯端末装置１０は、映像再生機能の付いた携帯電話や携帯情報端末（ＰＤＡ（personal digital assistant））等であり、汎用のコンピュータをベースに構成することもできる。なお、本発明において携帯端末装置１０が携帯型であることは必須ではなく、携帯端末装置１０と同等の機能を有するものであればデスクトップ型であってもよい。また、映像再生機能を省略した、データ記録命令を送信する専用機として構成することもできる。
【００６２】
具体的には、図２に示すように、携帯端末装置１０は、主制御部１０１、操作部１０２、不揮発性メモリ１０３、通信部１０４、通信制御部１０５、画像処理部１０６、揮発性メモリ１０７、表示ドライバ１０８、表示部１０９を備えて構成されている。そして、主制御部１０１が、操作部１０２、不揮発性メモリ１０３、通信部１０４、通信制御部１０５、画像処理部１０６、揮発性メモリ１０７、表示ドライバ１０８を制御することによって、図１に示したユーザインターフェイス１１、データ記録命令生成部１２、データ記録形式設定部１３、通信部１５、データ再生部１９が実現されている。また、不揮発性メモリ１０３に、命令用情報格納部１４（図１）が設けられている。なお、不揮発性メモリ１０３はハードディスク等の記憶装置であってもよい。
【００６３】
また、データ記録装置２０は、放送チューナ付き録画装置であり、ワークステーションやパーソナルコンピュータ等の汎用のコンピュータをベースに構成することもできる。
【００６４】
具体的には、図３に示すように、データ記録装置２０は、主制御部２０１、操作部２０２、不揮発性メモリ２０３、通信部２０４、通信制御部２０５、画像処理部２０６、揮発性メモリ２０７、表示ドライバ２０８、表示部２０９を備えて構成されている。なお、後述するデータ記録装置４０、６０、８０も同様の構成である。そして、主制御部２０１が、操作部２０２、不揮発性メモリ２０３、通信部２０４、通信制御部２０５、画像処理部２０６、揮発性メモリ２０７、表示ドライバ２０８を制御することによって、図１に示した通信部２１、データ記録命令解析部２２、データ記録実行部２３、データ取得部２５が実現されている。また、不揮発性メモリ２０３に、実行用情報格納部２４およびデータ格納部２６（図１）が設けられている。なお、不揮発性メモリ２０３はハードディスク等の記憶装置であってもよい。
【００６５】
つづいて、図１、図４〜図６を参照しながら、データ記録システム１の機能および動作について詳細に説明する。
【００６６】
図１に示すように、携帯端末装置１０は、ユーザインターフェイス１１、データ記録命令生成部（データ記録命令生成手段）１２、データ記録形式設定部（データ記録形式設定手段）１３、命令用情報格納部１４、通信部１５、データ再生部（データ再生手段）１９を含んで構成されている。
【００６７】
ユーザインターフェイス１１は、ユーザが操作入力するための入出力デバイスよりなる。ユーザインターフェイス１１は、データ記録形式、記録する番組ＩＤ、キーワード、データ記録形式を選択する際の優先順位等の入力・選択画面を表示し、ユーザの操作入力を取得する。例えば、再生可能な記録形式が複数ある場合、選択画面をユーザに提示する。
【００６８】
データ記録命令生成部１２は、データ再生部１９が再生可能なデータ記録形式を指定するデータ記録形式指定情報を含めてデータ記録命令を生成する。
【００６９】
データ記録形式設定部１３は、所定の規則に従って、あるいは、ユーザインターフェイス１１を介して入力されたユーザの選択に従って、データ記録形式を決定する。所定の規則に従ってデータ記録形式を決定する場合、詳細には、データ記録形式を選択する際の条件（最も品質のよい、最も録画時間が短い、等）や優先順位（例えば、画質＞圧縮率＞処理）に従って決定する。この条件や優先順位は、あらかじめ設定されたものを仕様情報１４ａとして保持していてもよいし、その場でユーザに選択させてもよい。
【００７０】
命令用情報格納部１４は、データ記録命令を生成するために必要な情報を格納している。具体的には、命令用情報格納部１４は、通信部１０４や表示部１０９の仕様を示す仕様情報１４ａ（自装置の機種名、解像度、映像ビットレート、音声ビットレート等）、データ再生部１９が対応しているデータ記録形式の記録用コーデック（エンコード用コーデック）１４ｂを格納している。なお、記録用コーデック１４ｂは、データ記録装置２０へ記録用コーデック１４ｂを送信する場合（図７、図８）に読み出すものである。よって、その他の場合には省略できる。
【００７１】
通信部１５は、データ記録装置２０の通信部２１との間で通信を行う。通信部１５は、少なくとも、データ記録命令生成部１２が生成したデータ記録命令をデータ記録装置２０へ送信する機能、データ記録装置２０に格納されているデータを受信する機能を有する。
【００７２】
データ再生部１９は、データ記録装置２０によって記録されたデータを取得し、再生する。データ再生部１９は、再生用コーデック１９ａを含んでおり、データを再生する際、再生用コーデック１９ａを実行してデータを伸長する。
【００７３】
なお、本実施の形態では、自装置のデータ記録命令生成部１２が生成したデータ記録命令に従ってデータ記録装置２０に記録されたデータを、データ再生部１９がデータ記録装置２０から取得して再生する場合について説明する。もちろん、データ再生部１９は、自装置がデータ記録命令を送信していないデータを再生することも可能である。
【００７４】
また、データ記録装置２０は、通信部２１、データ記録命令解析部（データ記録命令解析手段）２２、データ記録実行部（データ記録実行手段）２３、実行用情報格納部２４、データ取得部２５、データ格納部２６を含む。
【００７５】
通信部２１は、携帯端末装置１０の通信部１５との間で通信を行う。通信部２１は、少なくとも、携帯端末装置１０からデータ記録命令を受信する機能、データ格納部２６に格納したデータを携帯端末装置１０へ送信する機能を有する。
【００７６】
データ記録命令解析部２２は、携帯端末装置１０から受信したデータ記録命令を解析して、当該携帯端末装置１０に応じたデータ記録形式を決定する。特に本実施の形態では、データ記録命令に携帯端末装置１０のデータ再生部１９が再生可能なデータ記録形式を指定したデータ記録形式指定情報が含まれており、データ記録命令解析部２２は、データ記録命令からデータ記録形式指定情報を抽出して、データ記録形式を決定する。
【００７７】
データ記録実行部２３は、データ記録命令解析部２２によって決定されたデータ記録形式に従ってデータを記録する。
【００７８】
実行用情報格納部２４は、データ記録命令に従ってデータ記録を実行するために必要な情報を格納している。具体的には、データ記録システム１の実行用情報格納部２４は、データ記録形式に対応する記録用コーデック２４ｂを少なくとも格納している。
【００７９】
データ取得部２５は、記録すべきデータを取得する。データが放送番組の場合、データ取得部２５はチューナである。また、自装置に装着したＣＤからデータを記録する場合には、データ取得部２５はＣＤプレーヤである。
【００８０】
データ格納部２６は、ハードディスク等の記憶装置であり、データ記録実行部２３が記録するデータを格納する。なお、データ格納部２６は、データ記録装置２０の外部に設けられた記憶装置であってもよい。そして、この記憶装置は、データ記録実行部２３の制御によってデータを格納するとともに、格納したデータを携帯端末装置１０からの要求に応じて携帯端末装置１０へ送信する。このとき、携帯端末装置１０へのデータの送信は、データ記録装置２０を介して行ってもよいし、介さずに直接行ってもよい。
【００８１】
以下、データ記録システム１の３つの処理フローを説明する。
【００８２】
（１）データ記録形式を携帯端末装置において自動選択
データ記録形式を携帯端末装置１０において自動選択し、データ記録形式を含むデータ記録命令を生成して、データ記録装置２０に送信する場合について説明する。図４は、この場合のデータ記録システム１の処理フロー示すフローチャートである。また、図５は、この場合の処理フローで用いるデータ記録命令のデータ構造の一例を示す説明図である。
【００８３】
図４に示すように、まず、携帯端末装置１０において、データ記録形式設定部１３が、条件に合致するデータ記録形式を設定する（Ｓ１１）。なお、上記条件は、ユーザの入力や装置仕様に基づいて決定される。次に、データ記録命令生成部１２が、データ記録形式を含めてデータ記録命令を生成して、データ記録装置２０に送信する（Ｓ１２）。
【００８４】
ここで、図５に示すように、データ記録命令には、データ記録命令のシリアルＮｏ（123456）、録画する番組の番組ＩＤ（abcdef）、時間変更時も録画するか否かの指定（Yes）、録画データの解像度（240×320）、録画データの映像ビットレート（1Mbps）、録画データの音声ビットレート（100Kbps）、録画データのデータ記録形式（Microsoft MPEG-4 Codec）、録画データのデータ記録形式のバージョン（4.00）が含まれている。
【００８５】
次に、データ記録装置２０は、携帯端末装置１０からデータ記録命令を受信すると（Ｓ１３でＹＥＳ）、データ記録命令解析部２２がデータ記録命令を解析して、設定値を抽出する（Ｓ１４）。そして、データ記録実行部２３が、データ記録命令解析部２２で抽出されたデータ記録形式に対応する記録用コーデック２４ｂを実行用情報格納部２４から読み出し、データ記録の準備をする（Ｓ１５）。その後、データ記録実行部２３は、データ記録命令解析部２２で抽出された設定値に従って、データ取得部２５が取得したデータをデータ格納部２６に記録する（Ｓ１６）。
【００８６】
（２）データ記録形式を携帯端末装置においてユーザが選択
データ記録形式を携帯端末装置１０においてユーザが選択し、データ記録形式を含むデータ記録命令を生成して、データ記録装置２０に送信する場合について説明する。図６は、この場合のデータ記録システム１の処理フローを示すフローチャートである。なお、この場合の処理フローで用いるデータ記録命令のデータ構造は、図５と同じである。
【００８７】
図６に示すように、まず、携帯端末装置１０において、データ記録形式設定部１３が、データ記録形式を選択する画面をユーザインターフェイス１１に提示し、ユーザの操作入力を取得する（Ｓ２１）。次に、ユーザの選択に従ってデータ記録形式を設定する（Ｓ２２）。次に、データ記録命令生成部１２が、データ記録形式を含めてデータ記録命令を生成して、データ記録装置２０に送信する（Ｓ１２）。その処理（Ｓ１３〜Ｓ１６）は、図４を用いて上述したとおりである。
【００８８】
（３）選択したデータ記録形式に対応する記録用コーデックを携帯端末装置からデータ記録装置へ送信
データ記録形式を携帯端末装置１０において決定し、データ記録形式に対応する記録用コーデックを含むデータ記録命令を生成して、データ記録装置２０に送信する場合について説明する。なお、携帯端末装置１０におけるデータ記録形式の選択は、上記（１）（２）のいずれの方法でもよい。すなわち、データ記録形式設定部１３が自動選択してもよいし、ユーザに選択させてもよい。
【００８９】
この場合、携帯端末装置１０のデータ記録命令生成部１２は、データ再生部１９が再生可能なデータ記録形式に対応した記録用コーデック（記録用プログラム）１４ｂを含めてデータ記録命令を生成する。なお、携帯端末装置１０は、記録用コーデックを例えばネットワークを介して外部から取得してもよい。さらに、その記録用コーデックが有料である場合、携帯端末装置１０にて課金処理や、ライセンス認証を行うことも可能である。
【００９０】
また、データ記録装置２０では、データ記録命令解析部２２が携帯端末装置１０から受信したデータ記録命令から記録用コーデック１４ｂを抽出し、データ記録実行部２３が上記抽出した記録用コーデック１４ｂを用いてデータを記録する。
【００９１】
図７は、この場合のデータ記録システム１の処理フロー示すフローチャートである。また、図８は、この場合の処理フローで用いるデータ記録命令のデータ構造の一例を示す説明図である。
【００９２】
図７に示すように、まず、携帯端末装置１０において、データ記録命令生成部１２が、データ記録形式設定部１３によって自動的に、あるいは、ユーザの選択に従って選択されたデータ記録形式に対応する記録用コーデック１４ｂを命令用情報格納部１４から読み出し、それを含むデータ記録命令を生成する（Ｓ３１）。そして、データ記録命令生成部１２は、データ記録命令をデータ記録装置２０へ送信する（Ｓ３２）。
【００９３】
ここで、図８に示すように、本処理フローで用いるデータ記録命令は、図５に示したデータ構造と比較して、データ記録形式およびバージョンの代わりに、記録用コーデックのバイナリデータが追加されている。もちろん、データ記録命令にデータ記録形式およびバージョンを残しておいてもよい。
【００９４】
次に、データ記録装置２０は、携帯端末装置１０からデータ記録命令を受信すると（Ｓ３３でＹＥＳ）、データ記録命令解析部２２がデータ記録命令を解析して、設定値を抽出する（Ｓ３４）。そして、データ記録実行部２３が、データ記録命令解析部２２で抽出された記録用コーデック１４ｂを読み込み、データ記録の準備をする（Ｓ３５）。その後、データ記録実行部２３は、データ記録命令解析部２２で抽出された設定値に従って、データ取得部２５が取得したデータをデータ格納部２６に記録する（Ｓ３６）。
【００９５】
以上のように、上記データ記録システム１によれば、録画装置であるデータ記録装置２０に対して、携帯端末装置１０より番組録画命令（データ記録命令）を送信する。そして、データ記録装置２０は命令を送信してきた携帯端末装置１０の再生可能なデータ記録形式（データフォーマット）を自動判別し、そのデータ記録形式にて録画処理を行う。
【００９６】
携帯端末装置１０が再生可能なデータ記録形式は携帯端末装置１０からのデータ記録命令に含めることができる。また、携帯端末装置１０からのデータ記録命令に記録用コーデック１４ｂを含めて、コーデックそのものを送ってもよい。また、データ記録装置２０は、データ記録形式に対応する記録用コーデックを保持していない場合、ネットワークから取得してもよい。これにより、データ記録装置２０は、データ記録命令（録画命令）を送信してきた携帯端末装置１０に応じたデータ記録形式でデータを記録することができる。
【００９７】
〔実施の形態２〕
本発明の他の実施の形態について図９から図１７に基づいて説明すれば、以下のとおりである。なお、説明の便宜上、前記の実施の形態１において示した部材と同一の機能を有する部材には、同一の符号を付し、その説明を省略する。また、実施の形態１において定義した用語については、特に断らない限り本実施の形態においてもその定義に則って用いるものとする。
【００９８】
図９は、本実施の形態に係るデータ記録システム２の構成を示す機能ブロック図である。図９に示すように、携帯端末装置３０は、携帯端末装置１０（図１）と比較して、データ記録命令生成部１２およびデータ記録形式設定部１３の代わりに、データ記録命令生成部３２が設けられている。なお、携帯端末装置３０では、記録用コーデック１４ｂ（図１）は使わない。また、データ記録装置４０は、データ記録装置２０（図１）と比較して、データ記録命令解析部２２の代わりに、データ記録命令解析部４２が設けられている。また、実行用情報格納部２４には、データ記録形式データベース（データ記録条件データベース）２４ａが格納されている。このように、データ記録システム２は、データ記録システム１と基本的な構成は同一であるため、相違点を中心に説明する。
【００９９】
上記実施の形態１では、データ記録形式を携帯端末装置１０で選択し、該データ記録形式を指定したデータ記録形式指定情報を含むデータ記録命令をデータ記録装置２０へ送信するデータ記録システム１について説明した。これに対して、本実施の形態２では、携帯端末装置３０の機種を特定可能な携帯端末装置情報（例えば機種名）を含むデータ記録命令をデータ記録装置４０へ送信し、データ記録装置４０においてデータ記録形式を選択するデータ記録システム２について説明する。
【０１００】
ここで、データ記録システム２では、携帯端末装置情報を携帯端末装置３０のデータ再生部１９で実行可能な再生用コーデック、すなわちデータ再生部１９が対応しているデータ記録形式を特定するために利用する。よって、携帯端末装置情報（データ再生手段識別情報）としては、機種ごとにデータ再生手段の構成が決まっている場合には機種名が利用できるほか、データ再生部１９の回路の型番を利用することもできる。
【０１０１】
図９〜図１２を参照しながら、データ記録システム２の機能および動作について詳細に説明する。
【０１０２】
携帯端末装置３０において、データ記録命令生成部（データ記録命令生成手段）３２は、携帯端末装置３０の機種名を含めてデータ記録命令を生成する。
【０１０３】
データ記録装置４０において、データ記録命令解析部４２は、携帯端末装置３０から受信したデータ記録命令から機種名を抽出し、機種名とデータ記録形式とが対応付けられたデータ記録形式データベース２４ａを参照して、上記抽出した機種名に対応するデータ記録形式を決定する。
【０１０４】
図１０は、データ記録システム２の処理フロー示すフローチャートである。また、図１１は、この処理フローで用いるデータ記録命令のデータ構造の一例を示す説明図である。
【０１０５】
図１０に示すように、まず、携帯端末装置３０において、データ記録命令生成部３２が、機種名を含めてデータ記録命令を生成して、データ記録装置４０に送信する（Ｓ４１）。
【０１０６】
ここで、図１１に示すように、データ記録命令には、データ記録命令のシリアルＮｏ（123456）、録画する番組の番組ＩＤ（abcdef）、時間変更時も録画するか否かの指定（Yes）、携帯端末装置３０の機種名（SH1001）、録画データの解像度（240×320）、録画データの映像ビットレート（1Mbps）、録画データの音声ビットレート（100Kbps）、データ記録形式の選択条件（優先順位）（画質＞圧縮率＞処理）が含まれている。
【０１０７】
次に、データ記録装置４０は、携帯端末装置３０からデータ記録命令を受信すると（Ｓ４２でＹＥＳ）、データ記録命令解析部４２がデータ記録命令を解析して、設定値を抽出する（Ｓ４３）。そして、データ記録形式データベース２４ａを参照して、上記抽出した機種名に対応するデータ記録形式を決定する（Ｓ４４）。
【０１０８】
次に、データ記録形式に対応する記録用コーデック２４ｂが実行用情報格納部２４に格納されていれば（Ｓ４５でＹＥＳ）、データ記録実行部２３は該当する記録用コーデック２４ｂを読み出す（Ｓ４７）。一方、該当する記録用コーデック２４ｂが実行用情報格納部２４に格納されていなければ（Ｓ４５でＮＯ）、ネットワークを介して外部より取得する（Ｓ４６で成功、Ｓ４７）。なお、該当する記録用コーデック２４ｂをネットワークから取得できなければ（Ｓ４６で失敗）、携帯端末装置３０へエラーを送信する（Ｓ４９）。
【０１０９】
その後、データ記録実行部２３は、データ記録命令解析部４２で抽出された設定値に従って、データ取得部２５が取得したデータをデータ格納部２６に記録する（Ｓ４８）。
【０１１０】
ここで、データ記録命令解析部４２が、データ記録形式データベース２４ａを参照して、機種名に対応するデータ記録形式を決定する方法について説明する。図１２は、この処理フローで用いるデータ記録形式データベース２４ａの一例を示す説明図である。
【０１１１】
図１２に示すように、データ記録形式データベース２４ａには、機種名（SH1001等）とデータ記録形式およびそのバージョン（Microsoft MPEG-4 Codec 4.00）とが対応付けられて格納されている。さらに、データ記録形式およびそのバージョン（Microsoft MPEG-4 Codec 4.00）には、その画質レベル（高いほど高画質）、圧縮率レベル（高いほど同じ画質でより高圧縮）、処理レベル（高いほど処理能力を要求される）が設定されている。
【０１１２】
データ記録命令解析部４２は、データ記録命令から機種名（SH1001）を抽出すると、データ記録形式データベース２４ａを参照して、対応するデータ記録形式（Microsoft MPEG-4 Codec 4.00とDivX 3.11）を選択する。そして、データ記録形式データベース２４ａに、機種名に対応するデータ記録形式が複数ある場合、データ記録命令から抽出したデータ記録形式の選択条件（優先順位）（画質＞圧縮率＞処理）に従って、データ記録に使用するデータ記録形式を決定する。図１２の例では、上記２つのデータ記録形式のレベルを、画質、圧縮率、処理の順で比較し、高レベルのものを選択する。具体的には、最初に画質レベルを比較し、Microsoft MPEG-4 Codec 4.0がレベル４、DivX 3.11がレベル３であるため、Microsoft MPEG-4 Codec 4.0を選択することになる。なお、画質レベルが同じ場合には、次に圧縮率レベルを比較し、それでも同じであれば処理レベルの比較を行う。
【０１１３】
以上のように、上記データ記録システム２によれば、データ記録命令に携帯端末装置３０の機種名を含めて送信し、データ記録装置４０においてデータ記録形式データベース２４ａを参照してデータ記録形式を決定する。これにより、データ記録装置４０は、データ記録命令（録画命令）を送信してきた携帯端末装置３０に応じたデータ記録形式でデータを記録することができる。
【０１１４】
また、携帯端末装置３０に再生可能なデータ記録形式が複数ある場合、データ記録形式を選択する際の条件（最も品質のよい、最も録画時間が短い、等）や優先順位（例えば、画質＞圧縮率＞処理）の指定をデータ記録命令に含めて送信し、データ記録装置４０においてデータ記録形式を決定する。なお、データ記録形式を選択する際の条件や優先順位は、データ記録装置４０の実行用情報格納部２４にあらかじめ保持されていてもよい。
【０１１５】
ここで、本実施の形態の２つの変形例を説明する。
【０１１６】
（１）データ記録命令が機種名の代わりに所有者ＩＤを含む
本変形例では、図９、図１０、および図１２〜図１４を参照しながら、機種名の代わりに所有者ＩＤ（所有者識別情報）を含むデータ記録命令を用いる場合について説明する。
【０１１７】
本変形例の構成および動作は、図９および図１０に示したものとほぼ同じである。また、図１３は、本変形例で用いるデータ記録命令のデータ構造の一例を示す説明図である。図１４は、本変形例におけるデータ記録装置の所有者ＩＤデータベースの一例を示す説明図である。なお、図１２は、上述したように、データ記録形式データベース２４ａの一例を示す説明図である。すなわち、本変形例でも、データ記録形式データベース２４ａを使用する。
【０１１８】
まず、本変形例では、例えば家族一人一人が個別の携帯端末装置３０を所有しているものとする。そして、携帯端末装置３０にはそれぞれ誰が所有者であるかを識別できる所有者ＩＤが割り振られている。
【０１１９】
携帯端末装置３０は、データ記録命令生成部（データ記録命令生成手段）３２において、携帯端末装置３０の所有者ＩＤを含めてデータ記録命令（図１３）を生成し、それをデータ記録装置４０へ送信する。
【０１２０】
ここで、図１３に示すように、データ記録命令には、データ記録命令のシリアルＮｏ（123456）、録画する番組の番組ＩＤ（abcdef）、時間変更時も録画するか否かの指定（Yes）、所有者を示す所有者ＩＤが含まれている。例えば、図１３のデータ記録命令の例では、所有者ＩＤとして“father”が設定されており、父親が所有する携帯端末装置３０において生成されことを示している。なお、図１３はデータ記録命令の一例を示すものであり、本変形例においては、データ記録命令には所有者ＩＤが少なくとも含まれていればよい。
【０１２１】
次に、データ記録装置４０は、携帯端末装置３０からデータ記録命令を受信すると、データ記録命令解析部４２がデータ記録命令を解析して、設定値を抽出する。そして、データ記録命令解析部４２は、データ記録命令から抽出した所有者ＩＤに基づいて、実行用情報格納部２４にあらかじめ格納されている所有者ＩＤデータベース（図示せず）を参照して、所有者ＩＤに対応するデータ記録形式を決定するための情報を抽出する。
【０１２２】
ここで、図１４に示すように、所有者ＩＤデータベースには、携帯端末装置３０の所有者を特定する所有者ＩＤ（father等）と、データ記録形式を決定するための情報とが対応付けられている。データ記録形式を決定するための情報としては、例えば、携帯端末装置３０の機種名（SH1001等）、録画データの解像度（240×320等）、録画データの映像ビットレート（1Mbps等）、録画データの音声ビットレート（100Kbps等）、データ記録形式の選択条件（優先順位）（画質＞圧縮率＞処理、等）である。
【０１２３】
その後、データ記録命令解析部４２は、該抽出した機種名等のデータ記録形式を決定するための情報に基づいて、データ記録形式データベース２４ａを参照して、上記抽出した機種名に対応するデータ記録形式を決定する。なお、データ記録形式を決定するための情報は、上述したデータ記録命令に機種名を含める場合のデータ記録命令（図１１）に機種名とともに含まれる情報と同一である。よって、データ記録命令解析部４２が、データ記録形式データベース２４ａを参照して、機種名に対応するデータ記録形式を決定する方法については、図１２を参照しながら上述した方法と同じである。
【０１２４】
上記のように、データ記録システム２では、データ記録装置４０に、データ記録形式を決定するための情報を所有者ＩＤに対応付けた所有者ＩＤデータベースをあらかじめ格納しておく。そして、携帯端末装置３０から所有者ＩＤを含むデータ記録命令を送信して、データ記録装置４０において、データ記録命令中の所有者ＩＤに基づいて所有者ＩＤデータベースからデータ記録形式を決定するための情報を抽出し、それに基づいてデータ記録条件を決定する。このように、機種ごとではなく、携帯端末装置３０の所有者ごとにデータ記録条件を設定してもよい。これにより、データ記録装置において、携帯端末装置の所有者に応じたデータ記録条件を設定することができる。
【０１２５】
（２）データ記録命令を受信した通信手段に応じてデータ記録形式を選択する
本変形例では、図９、図１０、および図１５〜図１７を参照しながら、機種名や所有者ＩＤを含まないデータ記録命令を用いる場合について説明する。
【０１２６】
本変形例の構成および動作は、図９および図１０に示したものとほぼ同じである。また、図１５は、本変形例で用いるデータ記録命令のデータ構造の一例を示す説明図である。図１６は、本変形例におけるデータ記録装置の通信手段データベースの一例を示す説明図である。図１７は、データ記録形式データベース２４ａの一例を示す説明図である。
【０１２７】
まず、本変形例では、データ記録装置４０は携帯端末装置３０との通信手段として複数の通信手段を持っている。ここでは、例として、赤外線、インターネットの２種類の通信手段を持っているとする。また、携帯端末装置３０には、赤外線通信可能な携帯電話と、インターネット通信可能なＰＣ（personal computer）とがあるとする。
【０１２８】
携帯端末装置３０は、データ記録命令生成部（データ記録命令生成手段）３２において、データ記録命令（図１５）を生成し、それをデータ記録装置４０へ送信する。
【０１２９】
ここで、図１５に示すように、データ記録命令には、データ記録命令のシリアルＮｏ（123456）、録画する番組の番組ＩＤ（abcdef）、時間変更時も録画するか否かの指定（Yes）が含まれている。すなわち、図１５のデータ記録命令の例では、携帯端末装置３０の機種名や、携帯端末装置３０の所有者を示す所有者ＩＤなど、携帯端末装置３０に固有の情報は含まれていない。
【０１３０】
次に、データ記録装置４０は、携帯端末装置３０からデータ記録命令を受信すると、データ記録命令解析部４２がデータ記録命令を解析して、設定値を抽出する。このとき、データ記録命令解析部４２は、データ記録命令をどの通信手段で受信したのかを通信部２１から取得する。そして、データ記録命令解析部４２は、通信部２１から取得した通信手段を特定する情報に基づいて、実行用情報格納部２４にあらかじめ格納されている通信手段データベース（図示せず）を参照して、通信手段に対応するデータ記録形式を決定するための情報を抽出する。
【０１３１】
ここで、図１６に示すように、通信手段データベースには、データ記録命令を受信する通信手段を特定する情報（赤外線等）と、データ記録形式を決定するための情報とが対応付けられている。データ記録形式を決定するための情報としては、例えば、携帯端末装置３０の機種名（SH1001等）、録画データの解像度（240×320等）、録画データの映像ビットレート（1Mbps等）、録画データの音声ビットレート（100Kbps等）、データ記録形式の選択条件（優先順位）（画質＞圧縮率＞処理、等）である。
【０１３２】
その後、データ記録命令解析部４２は、該抽出した機種名等のデータ記録形式を決定するための情報に基づいて、データ記録形式データベース２４ａ（図１７）を参照して、上記抽出した機種名に対応するデータ記録形式を決定する。なお、データ記録形式を決定するための情報は、上述したデータ記録命令に機種名を含める場合のデータ記録命令（図１１）に機種名とともに含まれる情報と同一である。よって、データ記録命令解析部４２が、データ記録形式データベース２４ａを参照して、機種名に対応するデータ記録形式を決定する方法については、図１２を参照しながら上述した方法と同じである。
【０１３３】
図１６、図１７の例の場合、データ記録装置４０は携帯端末装置３０から赤外線通信を介してデータ記録命令を受信した場合は、携帯電話（SH1001）からの要求と判断し、携帯電話に対応したデータ記録条件によりデータ記録を行う。一方、携帯端末装置３０からインターネットを介してデータ記録命令を受信した場合は、ＰＣ（Mebius）からの要求と判断し、ＰＣに対応したデータ記録条件によりデータ記録を行う。
【０１３４】
上記のように、データ記録システム２では、データ記録装置４０に、データ記録形式を決定するための情報を通信手段に対応付けた通信手段データベースをあらかじめ格納しておく。そして、携帯端末装置３０からデータ記録命令を送信して、データ記録装置４０において、データ記録命令を受信した通信手段に基づいて通信手段データベースからデータ記録形式を決定するための情報を抽出し、それに基づいてデータ記録条件を決定する。このように、携帯端末装置３０から機種名等の情報を送信することなく、携帯端末装置３０とデータ記録装置４０との間の通信手段に応じて、データ記録形式を自動選択してもよい。これにより、データ記録装置において、データ記録命令を受信した通信手段の種類から携帯端末装置３０の仕様等を判断してデータ記録条件を設定することができる。
【０１３５】
なお、データ記録命令を携帯端末装置３０からデータ記録装置４０へ送信する際の通信手段と、データ格納部２６に記録したデータをデータ記録装置４０から携帯端末装置３０へ送信する際の通信手段とは同じであってもよいし、異なっていてもよい。
【０１３６】
〔実施の形態３〕
本発明のさらに他の実施の形態について図１８から図２１に基づいて説明すれば、以下のとおりである。なお、説明の便宜上、前記の実施の形態１および２において示した部材と同一の機能を有する部材には、同一の符号を付し、その説明を省略する。また、実施の形態１および２において定義した用語については、特に断らない限り本実施の形態においてもその定義に則って用いるものとする。
【０１３７】
図１８は、本実施の形態に係るデータ記録システム３の構成を示す機能ブロック図である。図１８に示すように、データ記録システム３は、複数の携帯端末装置１０（あるいは３０）からデータ記録命令を受信するデータ記録装置６０を含む。データ記録装置６０は、データ記録装置４０（図９）と比較して、データ記録命令解析部４２、データ記録実行部２３の代わりに、データ記録命令解析部６２、データ記録実行部６３が設けられるとともに、予約管理部６７が追加されている。また、実行用情報格納部２４には、予約情報２４ｃが格納されている。このように、データ記録システム３は、データ記録システム１、２と基本的な構成が同一であるため、相違点を中心に説明する。
【０１３８】
なお、データ記録装置６０に対してデータ記録命令を送信するのは、携帯端末装置１０であっても携帯端末装置３０であってもよい。すなわち、データ記録装置６０のデータ記録命令解析部６２は、データ記録形式を含むデータ記録命令を処理するデータ記録命令解析部２２（図１）の機能と、機種名を含むデータ記録命令を処理するデータ記録命令解析部４２（図９）の機能とをともに備えているものとする。
【０１３９】
図１８〜図２１を参照しながら、データ記録システム３の機能および動作について詳細に説明する。以下では、データ記録装置６０が２つの携帯端末装置Ａ・Ｂからデータ記録命令を受信する場合について説明する。なお、携帯端末装置が３つ以上の場合についても同様である。
【０１４０】
データ記録装置６０において、データ記録命令解析部（データ記録命令解析手段）６２は、携帯端末装置Ａ・Ｂから受信したデータ記録命令から設定を抽出し、適切なデータ記録形式をそれぞれ決定する。
【０１４１】
予約管理部（予約管理手段）６７は、データ記録命令から抽出した設定を予約情報２４ｃに記録する。そして、記録するべきデータが放送データ等のようにデータ取得部２５が取得する時間が決まっている場合、予約情報２４ｃに従ってデータ記録実行部６３の起動を制御する。また、予約管理部６７は、同じデータに対して、用いるべきデータ記録形式が異なる複数のデータ記録命令を受信したとき、上記用いるべきデータ記録形式のうちで最も品質の高いデータ記録形式を用いてデータを記録するようにデータ記録実行部６３を制御する。
【０１４２】
データ記録実行部（データ記録実行手段）６３は、同じデータに対して、用いるべきデータ記録形式が異なる複数のデータ記録命令を受信したとき、上記用いるべきデータ記録形式のうちで最も品質の高いデータ記録形式を用いてデータを記録する。また、データ記録実行部６３は、品質の高いデータ記録形式を用いて記録したデータを、より品質の低いデータ記録形式を用いて複製するデータ複製部６３ａを備えている。
【０１４３】
図１９は、データ記録システム３の処理フロー示すフローチャートである。また、図２０（ａ）（ｂ）は、この処理フローで用いるデータ記録命令のデータ構造の一例を示す説明図である。
【０１４４】
図１９に示すように、まず、携帯端末装置Ａが、データ記録命令を生成して（Ｓ５１）、データ記録装置６０に送信する（Ｓ５２）。
【０１４５】
次に、データ記録装置６０は、携帯端末装置Ａからデータ記録命令（図２０（ａ））を受信すると（Ｓ５５でＹＥＳ）、データ記録命令解析部６２がデータ記録命令を解析して、設定値を抽出し（Ｓ５６）、データ記録形式を決定する（Ｓ５７）。そして、データ記録命令解析部６２が得た設定値およびデータ記録命令に基づいて、予約管理部６７は、データ記録の予約を予約情報２４ｃに記録する（Ｓ５８）。
【０１４６】
この時点で、携帯端末装置Ｂが、携帯端末装置Ａと同様に、データ記録命令（図２０（ｂ））を生成して（Ｓ５３）、データ記録装置６０に送信したとする（Ｓ５４）。
【０１４７】
次に、データ記録装置６０は、携帯端末装置Ｂからデータ記録命令を受信すると（Ｓ５９でＹＥＳ）、上記ステップＳ５６、Ｓ５７と同様の処理を行ない（Ｓ６０、Ｓ６１）、データ記録命令解析部６２が得た設定値およびデータ記録命令に基づいて、予約管理部６７が、データ記録の予約を予約情報２４ｃに記録する（Ｓ６２）。
【０１４８】
ここで、予約管理部６７は、携帯端末装置Ｂの予約を予約情報２４ｃに記録する際、重複する予約があるか否かを確認し、重複する予約がなければ、そのまま予約情報２４ｃに記録する（Ｓ６３でＮＯ）。一方、重複する予約があれば（Ｓ６３でＹＥＳ）、予約管理部６７は、重複する予約のデータ記録形式を比較して、条件の合致する方のデータ記録形式を選択し、そのデータ記録形式による予約を予約情報２４ｃに記録する（Ｓ６４）。
【０１４９】
そして、データ記録実行部６３は、予約の時刻になった時、予約情報２４ｃに従って、データの記録を実行し、予約されたデータ記録形式で記録したデータをデータ格納部２６に格納する。その後、データ複製部６３ａは、データ格納部２６に格納されたデータを読み出し、ステップＳ６４において選択されなかったデータ記録形式で複製を作成して、その複製データをデータ格納部２６に格納する（Ｓ６６）。
【０１５０】
ここで、予約管理部６７が、重複する予約を処理する方法について説明する。図２０（ａ）、図２０（ｂ）は、データ記録システム３で用いるデータ記録命令のデータ構造の一例を示す説明図である。図２１は、データ記録システム３で用いるデータ記録形式データベース２４ａの一例を示す説明図である。
【０１５１】
図２０（ａ）、図２０（ｂ）に示すデータ記録命令は、番組ＩＤ（abcdef）が同一であるが、データ記録形式等が異なる。よって、これら２つのデータ記録命令を携帯端末装置Ａ・Ｂから受信した場合、データ記録装置６０では予約が重複することになる。
【０１５２】
そこで、予約管理部６７は、データ記録形式データベース２４ａ（図２１）を参照して、あらかじめ設定されているデータ記録形式の選択条件（優先順位）（画質＞圧縮率＞処理）に従って、データ記録に使用するデータ記録形式を決定する。具体的には、図２０（ａ）（ｂ）の２つのデータ記録命令に、図２１のデータ記録形式データベース２４ａを、画質優先で適用した場合、Microsoft MPEG-4 Codec 4.0が選択される。
【０１５３】
そして、データ記録部６３がMicrosoft MPEG-4 Codec 4.0でデータ記録後、データ複製部６３ａがDivX 3.11にてデータ複製を行う。
【０１５４】
なお、図２１に示すように、データ記録形式データベース２４ａには、データ記録形式およびそのバージョン（Microsoft MPEG-4 Codec 4.00）には、その画質レベル（高いほど高画質）、圧縮率レベル（高いほど同じ画質でより高圧縮）、処理レベル（高いほど処理能力を要求される）が対応付けられている。これは、図１２に示したテーブルから携帯端末装置の機種名を外したものと同じである。
【０１５５】
以上のように、上記データ記録システム３によれば、複数の携帯端末装置１０（３０）が同じデータの記録命令を送信した場合には、条件（最も品質のよい、等）に従い自動で記録形式を選択して記録を行い、データ記録後、各携帯端末装置１０（３０）に応じたデータ記録形式でデータを複製する。すなわち、データ記録装置６０は、データ記録命令を送信してきた携帯端末装置１０（３０）のそれぞれ対応するデータ記録形式のうちもっとも画質のいいフォーマットで録画し、録画後別のデータ記録形式にてコピーする。
【０１５６】
例えば、録画装置に対して、映像再生機能付携帯電話より番組録画命令を送信する。また、録画装置のリモコンを使って同じ番組の録画命令を送信する。リモコンは録画装置と関連付けられており、録画フォーマットとしてｍｐｅｇ２が対応付けされている。一方、携帯電話が再生可能なデータフォーマットとしてｍｐｅｇ４が対応付けされている。録画命令が重なったときの優先条件としては画質優先が設定されている。このとき、録画装置はｍｐｅｇ２とｍｅｐｇ４の二つのフォーマットを画質について比較し、ｍｐｅｇ２の方が画質が優れていると判断し、ｍｐｅｇ２にて録画処理を行う。そして、録画完了後、ｍｐｅｇ４フォーマットでデータコピーを行う。
【０１５７】
〔実施の形態４〕
本発明のさらに他の実施の形態について図２２から図２５に基づいて説明すれば、以下のとおりである。なお、説明の便宜上、前記の実施の形態１から３において示した部材と同一の機能を有する部材には、同一の符号を付し、その説明を省略する。また、実施の形態１から３において定義した用語については、特に断らない限り本実施の形態においてもその定義に則って用いるものとする。
【０１５８】
本実施の形態では、記録するデータを具体的に特定する情報（例えば番組ＩＤ）を含まないデータ記録命令を携帯端末装置７０から送信し、データ記録装置８０においてデータ記録命令に含まれている条件に合致するデータを選択して記録する場合について説明する。
【０１５９】
図２２は、本実施の形態に係るデータ記録システム４の構成を示す機能ブロック図である。図２２に示すように、携帯端末装置７０は、携帯端末装置１０（図１）と比較して、データ記録命令生成部１２の代わりに、データ記録命令生成部７２が設けられるとともに、キーワード設定部７６が追加されている。また、データ記録装置８０は、データ記録装置４０（図９）と比較して、データ記録命令解析部４２の代わりに、データ記録命令解析部８２が設けられるとともに、記録番組決定部８７および番組情報取得部８８が追加されている。このように、データ記録システム４は、データ記録システム１、２と基本的な構成が同一であるため、相違点を中心に説明する。
【０１６０】
なお、データ記録システム４においてデータ記録形式を選択するのは、携帯端末装置７０であっても、データ記録装置８０であってもよい。すなわち、データ記録装置８０のデータ記録命令解析部８２は、データ記録形式を含むデータ記録命令を処理するデータ記録命令解析部２２（図１）の機能と、機種名を含むデータ記録命令を処理するデータ記録命令解析部４２（図９）の機能とをともに備えているものとする。
【０１６１】
図２２〜図２５を参照しながら、データ記録システム４の機能および動作について詳細に説明する。以下では、記録するデータが番組であって、番組には番組情報が付与されているものとし、番組情報がデータ記録装置８０にあらかじめ取得されるものとする。そして、番組情報にはキーワード（検索用情報）が含まれているものとする。
【０１６２】
データ記録装置７０において、キーワード設定部（キーワード設定手段）７６は、記録する番組を選択するためのキーワードを、ユーザインターフェイス１１を用いたユーザ操作等から取得する。
【０１６３】
データ記録命令生成部７２は、キーワード設定部７６が設定したキーワードを含めてデータ記録命令を生成する。また、データ記録命令生成部７２は、データ記録命令に解像度やビットレート等の装置仕様に関する情報も含める。
【０１６４】
また、データ記録装置８０において、データ記録命令解析部（データ記録命令解析手段）８２は、携帯端末装置７０から受信したデータ記録命令からキーワードを抽出する。
【０１６５】
記録番組決定部（記録データ決定手段）８７は、上記抽出したキーワードを番組情報のキーワードに含む番組（データ）を記録する番組として選択する。なお、番組情報は、番組情報取得部８８が、データ取得部２５が取得した放送データ信号から取り出すことができる。
【０１６６】
図２３は、データ記録システム４の処理フロー示すフローチャートである。
【０１６７】
図２３に示すように、まず、携帯端末装置７０が、キーワードを含むデータ記録命令を生成して、データ記録装置８０に送信する（Ｓ７１）。
【０１６８】
次に、データ記録装置８０は、携帯端末装置７０からデータ記録命令を受信すると（Ｓ７２でＹＥＳ）、番組情報取得部８８が取得した番組情報を解析して、キーワードを抽出する（Ｓ７３，Ｓ７４）。そして、データ記録命令解析部８２がデータ記録命令を解析して、抽出したキーワードを番組情報のキーワードに含む番組を検索する（Ｓ７５）。そして、該当する番組が見つかると（Ｓ７６でＹＥＳ）、データ記録実行部２３で番組を記録する（Ｓ７７）。
【０１６９】
なお、上記フローでは番組情報をデータ記録命令を受信した時に取得したが、あらかじめ取得しておいてもよい。
【０１７０】
ここで、記録番組決定部８７が、記録する番組を決定する方法について説明する。図２４は、データ記録システム４で用いるデータ記録命令のデータ構造の一例を示す説明図である。図２５（ａ）、図２５（ｂ）は、データ記録システム４で用いる番組情報のデータ構造の一例を示す説明図である。
【０１７１】
図２４に示すように、データ記録命令には、キーワード（テニス）が含まれている。また、データ記録命令には、端末種別（携帯端末）、解像度（240×320）、映像ビットレート（1Mbps）、音声ビットレート（100Kbps）等の装置仕様に関する情報（端末仕様情報）も含まれている。
【０１７２】
また、図２５（ａ）、図２５（ｂ）に示すように、番組情報には、キーワードが含まれている。また、番組情報には、推奨解像度、推奨映像ビットレート、推奨音声ビットレート、推奨端末種別等の、番組を再生する携帯端末装置が必要とする仕様に関する情報（推奨端末仕様情報）が含まれている。
【０１７３】
そして、図２４のデータ記録命令を、図２５（ａ）、図２５（ｂ）の番組情報に適用した場合、番組情報＃１、＃２ともキーワード「テニス」が含まれているが、推奨端末種別および推奨映像ビットレートから判断して番組情報＃１のみが録画される。
【０１７４】
以上のように、上記データ記録システムによれば、検索条件を含むデータ記録命令を携帯端末装置７０から送信し、データ記録装置８０において検索条件および端末種別等の装置仕様が合致するデータを選択して記録する。これにより、ユーザが記録するデータを具体的に特定しなくても、データ記録装置８０において条件に合致するデータを選択して記録することができる。なお、番組内容のキーワードのほか、データの推奨品位なども検索条件として設定できる。
【０１７５】
例えば、録画装置（ＨＤＤレコーダ等）に対して、映像再生機能付携帯電話より番組録画命令を送信する。録画命令は検索用キーワードからなる。録画装置は送られてきたキーワードを用いて番組検索を行い、キーワードが含まれる番組を抽出する。例えば、キーワードに「テニス」と設定を行うと、テニス情報が含まれるスポーツニュース番組、試合番組、レッスン番組が抽出される。
【０１７６】
また、番組情報には携帯電話での再生に適した装置情報が含まれており、録画装置は抽出した番組の中からさらに録画命令を送信してきた携帯電話が装置情報に含まれている番組を抽出し録画処理を行う。
【０１７７】
携帯電話に適した再生とは、携帯の画面サイズでもつぶれない映像で構成されている番組、携帯のバッテリでも再生できる短い番組、ＨＤＤ容量にデータ保存できる長さの番組。例えば、試合番組は長く、高精細な画面でないと見にくいため、低画質のディスプレイしか持たない携帯電話で設定した場合は録画候補から除外される。ただし、高画質のディスプレイを持っている携帯電話の場合は録画される。
【０１７８】
なお、本発明は上述した各実施の形態に限定されるものではなく、請求項に示した範囲で種々の変更が可能であり、異なる実施の形態にそれぞれ開示された技術的手段を適宜組み合わせて得られる実施形態についても本発明の技術的範囲に含まれる。
【０１７９】
最後に、携帯端末装置１０、３０、７０およびデータ記録装置２０、４０、６０、８０の各ブロックは、ハードウェアロジックによって構成してもよいし、次のようにＣＰＵを用いてソフトウェアによって実現してもよい。
【０１８０】
すなわち、携帯端末装置１０、３０、７０およびデータ記録装置２０、４０、６０、８０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯端末装置１０、３０、７０およびデータ記録装置２０、４０、６０、８０の制御プログラムのプログラムコード（実行形式プログラム、中間コードプログラム、ソースプログラム）をコンピュータで読み取り可能に記録した記録媒体を、上記携帯端末装置１０、３０、７０およびデータ記録装置２０、４０、６０、８０に供給し、そのコンピュータ（またはＣＰＵやＭＰＵ）が記録媒体に記録されているプログラムコードを読み出し実行することによっても、達成可能である。
【０１８１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１８２】
また、携帯端末装置１０、３０、７０およびデータ記録装置２０、４０、６０、８０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１８３】
本発明に係るデータ記録システムによれば、外部機器に適したデータ記録形式を簡便に設定して、データを記録することできるため、テレビ、ラジオ等の放送データ、監視カメラの映像データ、ＣＤ等の音声データ等を記録する用途に広く適用できる。
【図面の簡単な説明】
【０１８４】
【図１】本発明の一実施の形態に係るデータ記録システムの構成を示す機能ブロック図である。
【図２】図１、図９、図１８、図２２に示したデータ記録システムに含まれる携帯端末装置のハードウェア構成の一例を示すブロック図である。
【図３】図１、図９、図１８、図２２に示したデータ記録システムに含まれるデータ記録装置のハードウェア構成の一例を示すブロック図である。
【図４】図１に示したデータ記録システムの処理フローの一例を示すフローチャートである。
【図５】図４、図６に示した処理フローで用いるデータ記録命令のデータ構造の一例を示す説明図である。
【図６】図１に示したデータ記録システムの処理フローの他の例を示すフローチャートである。
【図７】図１に示したデータ記録システムの処理フローのさらに他の例を示すフローチャートである。
【図８】図７に示した処理フローで用いるデータ記録命令のデータ構造の一例を示す説明図である。
【図９】本発明の他の実施の形態に係るデータ記録システムの構成を示す機能ブロック図である。
【図１０】図９に示したデータ記録システムの処理フローの一例を示すフローチャートである。
【図１１】図１０に示した処理フローで用いるデータ記録命令のデータ構造の一例を示す説明図である。
【図１２】図９に示したデータ記録システムに含まれるデータ記録装置のデータ記録形式データベースの一例を示す説明図である。
【図１３】図９に示したデータ記録システムの一変形例で用いるデータ記録命令のデータ構造の一例を示す説明図である。
【図１４】図１３に示した変形例で用いる所有者ＩＤデータベースの一例を示す説明図である。
【図１５】図９に示したデータ記録システムの他の変形例で用いるデータ記録命令のデータ構造の一例を示す説明図である。
【図１６】図１５に示した変形例で用いる通信手段データベースの一例を示す説明図である。
【図１７】図１５に示した変形例で用いるデータ記録形式データベースの一例を示す説明図である。
【図１８】本発明のさらに他の実施の形態に係るデータ記録システムの構成を示す機能ブロック図である。
【図１９】図１８に示したデータ記録システムの処理フローの一例を示すフローチャートである。
【図２０】図２０（ａ）、図２０（ｂ）は、図１９に示した処理フローで用いるデータ記録命令のデータ構造の一例を示す説明図である。
【図２１】図１８に示したデータ記録システムに含まれるデータ記録装置のデータ記録形式データベースの一例を示す説明図である。
【図２２】本発明のさらに他の実施の形態に係るデータ記録システムの構成を示す機能ブロック図である。
【図２３】図２２に示したデータ記録システムの処理フローの一例を示すフローチャートである。
【図２４】図２３に示した処理フローで用いるデータ記録命令のデータ構造の一例を示す説明図である。
【図２５】図２５（ａ）、図２５（ｂ）は、図２３に示した処理フローで用いる番組情報のデータ構造の一例を示す説明図である。
【符号の説明】
【０１８５】
１、２、３、４  データ記録システム
１０、３０、７０  携帯端末装置（端末装置）
１２、３２  データ記録命令生成部（データ記録命令生成手段）
１３  データ記録形式設定部（データ記録形式設定手段）
１４ｂ  記録用コーデック（記録用プログラム）
１９  データ再生部（データ再生手段）
２０、４０、６０、８０  データ記録装置
２２、４２、８２  データ記録命令解析部（データ記録命令解析手段）
２３、６３  データ記録実行部（データ記録実行手段）
２４ａ  データ記録形式データベース（データ記録条件データベース）
６３ａ  データ複製部（データ複製手段）
７２  データ記録命令生成部（データ記録命令生成手段）
８７  記録番組決定部（記録データ決定手段）
【図１】
0004408105.tif 000002
【図２】
0004408105.tif 000003
【図３】
0004408105.tif 000004
【図４】
0004408105.tif 000005
【図５】
0004408105.tif 000006
【図６】
0004408105.tif 000007
【図７】
0004408105.tif 000008
【図８】
0004408105.tif 000009
【図９】
0004408105.tif 000010
【図１０】
0004408105.tif 000011
【図１１】
0004408105.tif 000012
【図１２】
0004408105.tif 000013
【図１３】
0004408105.tif 000014
【図１４】
0004408105.tif 000015
【図１５】
0004408105.tif 000016
【図１６】
0004408105.tif 000017
【図１７】
0004408105.tif 000018
【図１８】
0004408105.tif 000019
【図１９】
0004408105.tif 000020
【図２０】
0004408105.tif 000021
【図２１】
0004408105.tif 000022
【図２２】
0004408105.tif 000023
【図２３】
0004408105.tif 000024
【図２４】
0004408105.tif 000025
【図２５】
0004408105.tif 000026